(57)【要約】【課題】清掃が容易で、使用位置を明確に把握することができ、また、汚物ポットの取り出しおよびセットを軽快に行う温水洗浄装置付きポータブルトイレを提供する。【解決手段】支持フレーム２と、支持フレーム２上に固定され、便座５が回動自在に軸支された温水洗浄装置３と、開口部４ａが形成されて支持フレーム２に着脱自在に載置された支持部材４と、支持フレーム２に設けられた背当て７および肘掛け８と、から構成され、支持部材４に汚物ポット９の周縁フランジを支持するポット支持部４１が形成される一方、便座５を支持する便座支持部４２が形成されている。また、支持部材４の便座支持部４２に便座５が載置される使用位置と、支持部材４のポット支持部４１に支持された汚物ポット９が支持フレーム２に当接するポット取出位置との間に支持部材４が前後方向に摺動自在である。【選択図】  図２
2005152340.tif 000002
【特許請求の範囲】
【請求項１】
支柱を備えた支持フレームと、支持フレーム上に固定され、便座が回動自在に軸支された温水洗浄装置と、開口部が形成されて支持フレームに着脱自在に載置された支持部材と、支持フレームに設けられた背当ておよび肘掛けと、からなり、支持部材に汚物ポットの周縁フランジを支持するポット支持部が形成されるとともに、便座を支持する便座支持部が形成され、また、支持部材の便座支持部に便座が載置される使用位置と、支持部材のポット支持部に支持された汚物ポットが支持フレームに当接するポット取出位置との間に支持部材が支持フレームに支持されて前後方向に摺動自在であることを特徴とする温水洗浄装置付きポータブルトイレ。
【請求項２】
前記支持部材を汚物ポットが支持フレームに当接する位置に引き出した際において、温水洗浄装置の洗浄位置に移動した洗浄ノズルに対応して、支持部材に貯水部が形成されていることを特徴とする請求項１記載の温水洗浄装置付きポータブルトイレ。
【請求項３】
前記支持部材のポット支持部の前半部のみに汚物ポットの取っ手が収納されることを特徴とする請求項１記載の温水洗浄装置付きポータブルトイレ。
【請求項４】
前記温水洗浄装置にシートが回動自在に軸支される一方、支持部材にシート支持部が形成され、支持部材の便座支持部に載置された便座を覆ってシートが支持部材のシート支持部に載置されることを特徴とする請求項１記載の温水洗浄装置付きポータブルトイレ。
【請求項５】
前記支持部材の裏面に、支持フレームに対応してガイドレールが形成されていることを特徴とする請求項１記載の温水洗浄装置付きポータブルトイレ。
【発明の詳細な説明】
【技術分野】
【０００１】
本発明は、温水洗浄装置付きポータブルトイレに関するものである。
【背景技術】
【０００２】
一般に、トイレ室での用を足すことが困難な場合には、ポータブルトイレが使用される。このようなポータブルトイレは、例えば、中央に開口部が形成された座板および座板の周縁に垂設された周壁からなる座部を合成樹脂によって一体に成形したもので、開口部を通して内部に挿入された汚物ポットを座板に支持することができるとともに、持ち運びできるように構成されている。
【０００３】
このようなポータブルトイレを怪我人、高齢者や身体障害者などの要介護者が使用する際、腰掛け動作や立ち上がり動作時の負担を軽減したり、あるいは、背中を支持する必要性から、肘掛けや背当てが設けられることが好ましい。また、温水洗浄装置が備えられていると、介助者の負担が軽減されるとともに、清潔となり、好ましい。
【０００４】
このような要望に応えるため、座部に肘掛けや背当ておよびシートを設けて、用を足す時以外には椅子としても使用可能であり、かつ、使用時には温水にて洗浄可能な温水洗浄装置を付設したポータブルトイレが提供されている。
【０００５】
このような温水洗浄装置を備えたポータブルトイレにおいては、洗浄ノズルからの洗浄水を収容するため、洗浄ノズルの直下に汚物ポットを配置しなければならないことから、汚物ポットの取り出し時やセット時に洗浄ノズルと干渉することになる。このため、汚物ポットの取り出し時やセット時に洗浄ノズルと干渉しない位置に汚物ポットを移動させるポータブルトイレが提案されている（例えば、特許文献１参照）。
【特許文献１】特開２００２−７８６４０号公報
【発明の開示】
【発明が解決しようとする課題】
【０００６】
しかしながら、特許文献１に記載されたポータブルトイレにおいては、汚物ポットを懸吊する受け板を便器本体上面に前後方向に移動自在に設けた構造であることから、汚物ポットを取り出すときには、汚物ポットが懸吊されている受け板を面接触する摩擦力に抗して前方に引き出さなければならず、特に、汚物ポットの内容物が多い場合には、大きな労力を必要とするという問題があった。また、受け板などが汚れていても、受け板を取り外すことができないため、清掃が困難であるという欠点があった。さらに、受け板の位置が明確でなく、受け板が正規の位置に押し込まれていない状態で使用すると、使用者の体重が作用して破損するおそれがある。
【０００７】
本発明はこのような問題点に鑑みてなされたものであり、清掃が容易で、使用位置を明確に把握することができるとともに、汚物ポットの取り出しおよびセットを軽快に行うことができる温水洗浄装置付きポータブルトイレを提供するものである。
【課題を解決するための手段】
【０００８】
本発明は、支柱を備えた支持フレームと、支持フレーム上に固定され、便座が回動自在に軸支された温水洗浄装置と、開口部が形成されて支持フレームに着脱自在に載置された支持部材と、支持フレームに設けられた背当ておよび肘掛けと、からなり、支持部材に汚物ポットの周縁フランジを支持するポット支持部が形成されるとともに、便座を支持する便座支持部が形成され、また、支持部材の便座支持部に便座が載置される使用位置と、支
持部材のポット支持部に支持された汚物ポットが支持フレームに当接するポット取出位置との間に支持部材が支持フレームに支持されて前後方向に摺動自在であることを特徴とするものである。
【０００９】
本発明によれば、支持部材に載置された便座に座って用を足すことができ、その後、温水洗浄装置の洗浄ノズルが洗浄位置に移動して、局部を温水で洗浄することができる。
【００１０】
一方、介助者が汚物を処理する場合は、便座を跳ね上げた後、支持部材を前方に引き出せば、汚物ポットが支持フレームに当接し、それ以上の前方移動が阻止される。この際、洗浄位置に移動している洗浄ノズルと汚物ポットとの干渉が解除されることから、支持部材のポット支持部に載置されている汚物ポットを取っ手を把握して持ち上げ、外部に取り出すことができる。その後、汚物ポットを洗浄すれば、汚物ポットを支持部材の開口部を通して挿入し、その周縁フランジを支持部材のポット支持部に載置した後、支持部材を後方に向けて押し込むことにより、使用位置へと移動させることができる。次いで、便座を押し下げれば、便座を支持部材の便座支持部に載置することができる。
【００１１】
この結果、支持部材が使用位置にあるか否かは、支持部材と温水洗浄装置との間に隙間があれば、便座を支持部材の便座支持部に載置することができないことから、支持部材と温水洗浄装置との隙間の有無によって簡単に把握することができ、使用位置に移動していないにも関わらず、誤って使用されることを確実に防止することができる。また、支持部材を持ち上げて支持フレームから離脱させることができることから、支持部材が汚れた場合でも簡単に洗浄することができる。
【００１２】
本発明において、前記支持部材を汚物ポットが支持フレームに当接する位置に引き出した際において、温水洗浄装置の洗浄位置に移動した洗浄ノズルに対応して、支持部材に貯水部が形成されていると、洗浄ノズルから滴下する水滴を支持部材に形成された貯水部で受けることができ、床面を濡らすことがない。
【００１３】
本発明において、前記支持部材のポット支持部の前半部のみに汚物ポットの取っ手が収納されると、支持部材をポット取出位置に引き出した際、汚物ポットの取っ手が常に手前側に位置することになり、作業性が良好となる。また、洗浄ノズルから滴下する水滴を貯水部に受ける際に邪魔をすることもない。
【００１４】
本発明において、前記温水洗浄装置にシートが回動自在に軸支される一方、支持部材にシート支持部が形成され、支持部材の便座支持部に載置された便座を覆ってシートが支持部材のシート支持部に載置されると、使用者は、シートに腰掛けて椅子としても使用することができる。この場合、肘掛けおよび背当てが肘および背を支持することができる。
【００１５】
なお、シートを跳ね上げた際、シートは、後傾状態で背当てに支持され、その後、便座を跳ね上げれば、便座は、後傾状態でシートに支持される。
【００１６】
本発明において、前記支持部材の裏面に、支持フレームに対応してガイドレールが形成されていると、支持フレームに対する支持部材の接触面積を減少することができ、支持部材を引き出し、あるいは、押し込む際、摩擦抵抗を減少して軽快に摺動させることが可能となる。
【発明の効果】
【００１７】
本発明によれば、清掃が容易で、使用位置を明確に把握することができるとともに、汚物ポットの取り出しおよびセットを軽快に行うことができる。
【発明を実施するための最良の形態】
【００１８】
以下、本発明の実施の形態について図面を参照しつつ説明する。
【００１９】
図１および図２には、本発明の温水洗浄装置付きポータブルトイレ１の一実施形態が示されている。
【００２０】
このポータブルトイレ１は、支持フレーム２と、支持フレーム２に配設された温水洗浄装置３と、支持フレーム２に支持されて前後方向に摺動自在な支持部材４と、温水洗浄装置３にそれぞれ回動自在に軸支された便座５およびシート６と、支持フレーム２に設けられた背当て７および肘掛け８と、から構成されている。
【００２１】
支持フレーム２は、図３に示すように、４隅に立設された角パイプ状の支柱２１と、後方の支柱２１間および前方の支柱２１間にわたってそれぞれ架設された縦長角パイプ状の横連結材２２と、左方の支柱２１および右方の支柱２１の近傍にそれぞれ位置して前後の横連結材２２間にわたって配設された断面略Ｃ字状の縦連結材２３と、からなり、前部上方の横連結材２２Ａは、後述する支持部材４に収容された汚物ポット９の前方への移動を許容するように、前方に向けて略く字状の屈曲部２２１が形成されている。また、上方の縦連結材２３Ａは、前端に下方に向けて延設された垂下部２３１を一体に有しており、この垂下部２３１が前部上方の横連結材２２Ａの内面側左右端縁部近傍に一体に連結されている。
【００２２】
なお、横連結材２２，２２Ａおよび縦連結材２３，２３Ａの外面には、遮蔽板２４が取り付けられており、支持フレーム２の内部が遮蔽されている。
【００２３】
また、各支柱２１の下半部には、それぞれ支持脚２１１が摺動自在に嵌挿されており、各支持脚２１１は、詳細には図示しないが、支柱２１に対して適宜長さ引き出して固定することができ、体格に合わせてシート６から床面までの高さを調整することができる。
【００２４】
温水洗浄装置３は、支持フレーム２を構成する左右の上方の縦連結材２３Ａおよび後部中間の横連結材２２Ｂにわたって固定された支持プレート２５に固定されており、詳細には図示しないが、前部下方中央に、洗浄位置と格納位置間に移動自在な洗浄ノズルを備えている。また、温水洗浄装置３には、便座５が回動自在に軸支されるとともに、便座５の軸支部の上部近傍に軸支部を有して、二つ折り可能なシート６が回動自在に軸支されている。
【００２５】
なお、詳細には図示しないが、支持フレーム２の内部後方には、図示しない給水タンクおよび給水ポンプが収納されており、給水タンク、給水ポンプおよび温水洗浄装置３間は、給水ホースにて配管接続されており、給水タンク内の水を給水ポンプを介して温水洗浄装置３に供給できるようになっている。
【００２６】
支持部材４は、図４乃至図６に示すように、中央に略馬蹄形状の開口部４ａが形成された樹脂製品であって、支持フレーム２の左右の縦連結材２３Ａにわたって着脱自在に載置されている。そして、支持部材４には、開口部４ａの周縁に汚物ポット９を支持するポット支持部４１が形成されるとともに、ポット支持部４１の外部上方に位置して便座５を支持する便座支持部４２が形成され、また、便座支持部４２の外部上方に位置してシート６を支持するシート支持部４３が形成されている。
【００２７】
ここで、支持部材４のポット支持部４１は、汚物ポット９の周縁フランジ形状に対応して形成されている。すなわち、汚物ポット９の周縁フランジは、図２に示すように、後端部が他の部分よりも一段と低く形成されており、これに対応して、支持部材４のポット支
持部４１も、その後端部が一段と低く形成されている。このため、汚物ポット９の取っ手９１（図２参照）は、ポット支持部４１の前半部側にのみ載置可能に設定されている。
【００２８】
また、支持部材４のポット支持部４１には、開口部４ａに沿って汚物ポット９の周縁フランジに対応する凸条部４１１が形成されており、ポット支持部４１に汚物ポット９の周縁フランジを載置した際、汚物ポット９が移動しないように規制されている。
【００２９】
さらに、支持部材４の後端部には、ポット支持部４１に隣接して周囲を堰状に包囲された貯水部４１ａが形成されている。この貯水部４１ａは、後述するように、支持部材４を支持フレーム４の縦連結材２３Ａに沿って前方に引き出した際、洗浄位置に移動した図示しない洗浄ノズルに対応して設定されている。
【００３０】
一方、支持部材４が縦連結材２３Ａに支持され、かつ、押し込まれて後端が支持プレート２５の前端に当接した使用位置にあるとき、温水洗浄装置３に軸支された便座５およびシート６をそれぞれ便座支持部４２およびシート支持部４３に順に載置することができる。この際、シート６は、弁座支持部４２に載置された便座５に干渉することなく、かつ、便座５を覆ってシート支持部４３に載置されるように設定されている。
【００３１】
なお、支持部材４の裏面には、該支持部材４が載置される支持フレーム２の左右の縦連結材２３Ａに対応して、それぞれ２条のガイドレール４ｘが一体に形成されている。したがって、支持部材４を支持フレーム２の左右の縦連結材２３Ａにわたって載置した際、各縦連結材２３Ａの上端面にそれぞれ２条のガイドレール４ｘを介して支持される。このため、支持部材４をガイドレール４ｘを介して小さな接触面積で、すなわち、小さな摩擦抵抗で縦連結材２３Ａに沿って軽快に摺動させることができる。
【００３２】
背当て７は、後方の左右の支持脚２１にわたって設けられ、上方にクッション部７１がを備えている。
【００３３】
また、肘掛け８は、各支柱２１の上半部にそれぞれ摺動自在に嵌挿された支持ポスト８１と、左方の支持ポスト８１にわたって、また、右方の支持ポスト８１にわたってそれぞれ架設された肘掛け本体８２と、からなり、詳細には図示しないが、支柱２１に対して支持ポスト８１を適宜長さ引き出して固定することができ、体格に合わせて肘掛け本体８２の高さを調整することができる。
【００３４】
次に、このように構成された温水洗浄装置付きポータブルトイレ１の作動について説明する。
【００３５】
温水洗浄装置付きポータブルトイレ１は、通常、図１に示すように、支持部材４が縦連結材２３Ａに支持されるとともに、後端が支持プレート２５の前端に当接した使用位置まで押し込まれている。そして、支持部材４には、ポット支持部４１に汚物ポット９が支持される一方、便座支持部４２に便座５が載置されるとともに、シート支持部４３にシート６が便座５に干渉することなく、かつ、便座５を覆って載置されており、椅子としても使用できる状態となっている。
【００３６】
このような温水洗浄装置付きポータブルトイレ１で用を足す場合は、まず、シート６を跳ね上げて背当て７に支持させた後、便座５に座って使用することができ、その後、洗浄ノズルが洗浄位置に移動して局部を温水で洗浄する。この際、汚物は、洗浄水とともに汚物ポット９に収容される。
【００３７】
汚物ポット９に収容された汚物を処理する場合は、便座５を跳ね上げて先に跳ね上げた
シート６に支持させた後、支持フレーム２における前部上方の横連結材２２Ａの屈曲部２２１に汚物ポット９が当接して、それ以上の前方移動が阻止されるポット取出位置に達するまで、支持部材４を縦連結材２３Ａに沿って前方に引き出せばよい。
【００３８】
この場合、支持部材４の裏面に、支持フレーム２の縦連結材２３Ａに対応してガイドレール４ｘが形成されているため、縦連結材２３Ａに対して小さな接触面積で支持部材４が支持されており、縦連結材２３Ａに沿って支持部材４を引き出す際、摩擦抵抗を減少して軽快に摺動させることができる。
【００３９】
支持部材４がポット取出位置まで引き出されると、洗浄位置に移動している洗浄ノズルと汚物ポット９との干渉が解除されることから、支持部材４のポット支持部４１に載置されている汚物ポット９を取っ手９１を把握して持ち上げ、外部に取り出すことができる。
【００４０】
この際、汚物ポット９の取っ手９１は、引き出された支持部材４のポット支持部４１の手前側となる前半部に支持されていることから、速やかに、また、無理なく汚物ポット９を取り出すことができる。
【００４１】
また、洗浄ノズルから滴下する水滴は、ポット取出位置に引き出された支持部材４の貯水部４１ａが洗浄位置に移動した洗浄ノズルと対向していることから、支持部材４の貯水部４１ａに受けることができ、床面を濡らすことがない。
【００４２】
汚物ポット９の洗浄が終了すれば、汚物ポット９を支持部材４の開口部４ａを通して挿入し、その周縁フランジを支持部材４のポット支持部４１に載置した後、支持部材４を後方に向けて押し込むことにより、使用位置へと移動させることができる。この際、支持部材４が使用位置に到達していないと、すなわち、支持部材４が支持プレート２５の前端に当接していないと、支持部材４と温水洗浄装置３との間に隙間が生じ、また、便座５を支持部材４の便座支持部４２に載置することができないことから、簡単に把握することができる。このため、支持部材４が使用位置に移動していないにも関わらず、誤って使用されることを確実に防止することができる。
【００４３】
支持部材４を使用位置に移動させれば、温水洗浄装置３に軸支された便座５およびシート６をそれぞれ便座支持部４２およびシート支持部４３に順に載置することができる。この際、シート６は、弁座支持部４２に載置された便座５に干渉することなく、かつ、便座５を覆ってシート支持部４３に載置することができ、再び椅子として使用したり、用を足することができる。
【００４４】
なお、使用により支持部材４が汚れた場合には、支持部材４が支持フレーム２の左右の縦連結材２３Ａに跨がって支持されているだけであることから、支持フレーム２に対して支持部材４を持ち上げて離脱させることができ、汚れた支持部材４を簡単に洗浄することができる。
【産業上の利用可能性】
【００４５】
以上のように本発明によれば、使用位置を明確に把握することができ、また、使用時には温水にて洗浄可能である他、汚物ポットの取り出しおよびセットを軽快に行うことができるとともに、容易に清掃できな温水洗浄装置付きポータブルトイレを提供することができる。
【図面の簡単な説明】
【００４６】
【図１】本発明の温水洗浄装置付きポータブルトイレの一実施形態を示す側面図である。
【図２】図１の温水洗浄装置付きポータブルトイレを一部破断して示す側面図である。
【図３】図１の温水洗浄装置付きポータブルトイレの支持フレームを一部省略して示す斜視図である。
【図４】図１の温水洗浄装置付きポータブルトイレの支持部材を示す平面図である。
【図５】図４のＸ−Ｘ線断面図である。
【図６】図４のＹ−Ｙ線断面図である。
【図７】図１の温水洗浄装置付きポータブルトイレの支持フレーム、温水洗浄装置および支持部材の関係を一部省略して示す説明図である。
【符号の説明】
【００４７】
１  温水洗浄装置付きポータブルトイレ
２  支持フレーム
２１  支柱
２２，２２Ａ，２２Ｂ  横連結材
２３，２３Ａ  縦連結材
３  温水洗浄装置
４  支持部材
４ａ  開口部
４ｘ  ガイドレール
４１  ポット支持部
４１ａ  貯水部
４１１  凸条部
４２  便座支持部
４３  シート支持部
５  便座
６  シート
７  背当て
８  肘掛け
９  汚物ポット
９１  取っ手
【図１】
2005152340.tif 000003
【図２】
2005152340.tif 000004
【図３】
2005152340.tif 000005
【図４】
2005152340.tif 000006
【図５】
2005152340.tif 000007
【図６】
2005152340.tif 000008
【図７】
2005152340.tif 000009